(57)【要約】      （修正有）【課題】視野検査に適切に使用され得る視野検査のための検眼用器具を提供する。【解決手段】検眼用器具１は、ヒトの一方の眼に対応する第１のリム部４と、ヒトの他方の眼に対応する第２のリム部６と、を有する眼鏡フレーム２０と、第１のリム部４によって保持される遮光フィルタ２と、を備える。第１のリム部４は、遮光フィルタ２からヒトの一方の眼の側に立設している遮光部５を備える。第２のリム部６は、視力矯正レンズを、第２のリム部６によって囲まれた領域に保持可能である。【選択図】図１
0003186322.tif 000002
【実用新案登録請求の範囲】
【請求項１】
ヒトが視野検査を受ける際に、前記ヒトによって装着される検眼用器具であって、
前記ヒトの一方の眼に対応する第１のリム部と、前記ヒトの他方の眼に対応する第２のリム部と、を有する眼鏡フレームと、
前記第１のリム部によって保持される遮光フィルタであって、可視領域の全ての波長の光を遮光する前記遮光フィルタと、
を備え、
前記第１のリム部は、前記遮光フィルタから前記ヒトの前記一方の眼の側に立設している遮光部であって、可視領域の全ての波長の光を遮光する前記遮光部を有し、
前記第２のリム部は、視力矯正レンズを、前記第２のリム部によって囲まれた領域に保持可能である、検眼用器具。
【請求項２】
前記眼鏡フレームは、さらに、前記第１のリム部と前記第２のリム部とを接続するためのブリッジと、前記第１のリム部に接続される第１のテンプルと、前記第２のリム部に接続される第２のテンプルと、を有し、
前記遮光部のうち、前記第１のテンプルに最も近い部分の高さである第１の高さは、前記遮光部のうち、前記ブリッジに最も近い部分の高さである第２の高さよりも大きい、請求項１に記載の検眼用器具。
【請求項３】
前記第１の高さが１．５ｃｍ以上であり、前記第２の高さが０．３ｃｍ以上である、請求項１又は２に記載の検眼用器具。
【考案の詳細な説明】
【技術分野】
【０００１】
本明細書では、ヒトが視野検査を受ける際に、ヒトによって装着される検眼用器具を開示する。
【背景技術】
【０００２】
特許文献１には、検眼装置（例えば、眼底カメラ、非接触式眼圧計）に用いられる検眼用開瞼器具が開示されている。検眼用開瞼器具は、一対のリム部とつる部とを持ち、眼鏡フレーム形状を有する。一対のリム部には、眼の前方及び周囲を覆い、外光から遮光するためのゴーグル部が形成されている。さらに、一方のリム部には、眼の前方に開瞼機構が設けられ、他方には、眼の前方に遮光部が設けられている。
【先行技術文献】
【特許文献】
【０００３】
【特許文献１】特開２００９―１１３８３号公報
【考案の概要】
【考案が解決しようとする課題】
【０００４】
上記の特許文献１の検眼用開瞼器具では、一方の眼の瞼を強制的に開いておくために、一方のリム部に開瞼機構が設けられている。ただし、上記の特許文献１では、検眼用開瞼器具を視野検査に利用することについて、何ら考慮されていない。視野検査では、一方の眼の瞼を強制的に開いておく必要がなく、それどころから、一方の眼の瞼を強制的に開けば視野検査を適切に行なうことができないからである。
【０００５】
本明細書では、視野検査に適切に使用され得る検眼用器具を開示する。
【課題を解決するための手段】
【０００６】
本明細書では、ヒトが視野検査を受ける際に、ヒトによって装着される検眼用器具を開示する。検眼用器具は、眼鏡フレームと、遮光フィルタと、を備える。眼鏡フレームは、ヒトの一方の眼に対応する第１のリム部と、ヒトの他方の眼に対応する第２のリム部と、を有する。遮光フィルタは、第１のリム部によって保持され、可視領域の全ての波長の光を遮光する。第１のリム部は、遮光フィルタからヒトの上記の一方の眼の側に立設している遮光部であって、可視領域の全ての波長の光を遮光する遮光部を有する。第２のリム部は、視力矯正レンズを、第２のリム部によって囲まれた領域に保持可能である。
【０００７】
上記の構成によると、第１のリム部によって保持される遮光フィルタが設けられているので、ヒトの上記の一方の眼に対する遮光を適切に実現することができる。また、視力矯正レンズを第２のリム部によって囲まれた領域に保持可能であるので、ヒトの上記の他方の眼のための視野検査を適切に実行することができる。
【０００８】
眼鏡フレームは、さらに、第１のリム部と第２のリム部とを接続するためのブリッジと、第１のリム部に接続される第１のテンプルと、第２のリム部に接続される第２のテンプルと、を有していてもよい。遮光部のうち、第１のテンプルに最も近い部分の高さである第１の高さは、遮光部のうち、ブリッジに最も近い部分の高さである第２の高さよりも大きくてもよい。この構成によると、ヒトの上記の一方の眼に対する遮光を適切に実現することができる。
【０００９】
第１の高さが１．５ｃｍ以上であり、第２の高さが０．３ｃｍ以上であってもよい。この構成によると、ヒトの上記の一方の眼に対する遮光を適切に実現することができる。
【図面の簡単な説明】
【００１０】
【図１】第１実施例の検眼用器具の斜視図を示す。
【図２】視力矯正レンズが第１実施例の検眼用器具に保持された状態の斜視図を示す。
【図３】遮光部の角度の変位と遮光部の高さとの関係を表したグラフを示す。
【図４】第２実施例の検眼用器具の斜視図を示す。
【考案を実施するための形態】
【００１１】
（第１実施例）
図１に示すように、検眼用器具１では、右眼に対する遮光が実現される。即ち、検眼用器具１は、左眼の視野検査を行う際に利用される。
【００１２】
検眼用器具１は、遮光フィルタ２及び眼鏡フレーム２０を備える。眼鏡フレーム２０は、第１のリム部４、第２のリム部６、第１のテンプル８ａ、第２のテンプル８ｂ、及び、ブリッジ１０を備える。第１のリム部４は、右眼に対応し、第２のリム部６は、左眼に対応する。第１のリム部４と第２のリム部６とは、ブリッジ１０によって接続されている。第１のテンプル８ａは、第１のリム部４に対して回動可能な状態で、第１のリム部４の端部に接続されている。第２のテンプル８ｂは、第２のリム部６に対して回動可能な状態で、第２のリム部６の端部に接続されている。ヒトが検眼用器具１を装着した状態では、ヒトの一方の耳によって第１のテンプル８ａが保持され、ヒトの他方の耳によって第２のテンプル８ｂが保持される。
【００１３】
遮光フィルタ２は、第１のリム部４によって保持される。遮光フィルタ２は、全面が黒色であるため、可視領域の全ての波長の光を遮光する。なお、本実施例では、眼鏡フレーム２０のうち、第１及び第２のテンプル８ａ，８ｂを除く部分（即ち、第１及び第２のリム部４，６、ブリッジ１０）と、遮光フィルタ２とは、例えば、樹脂の射出成形によって一体に形成されている。ただし、変形例では、遮光フィルタ２は、眼鏡フレーム２０とは別体に成形されて、眼鏡フレーム２０に装着されるものであってもよい。
【００１４】
遮光フィルタ２は、略楕円形状を有する。遮光フィルタ２の外周（即ち略楕円形状の円周）の全部が、第１のリム部４によって保持されている。即ち、遮光フィルタ２の外周の全部が、第１のリム部４に連続している。換言すると、第１のリム部４によって囲まれた領域の全部が、遮光フィルタ２によって遮光される。
【００１５】
第１のリム部４は、遮光フィルタ２の外周の全部に連続している遮光部５を有する。遮光フィルタ２と同様に、遮光部５は、全面が黒色であるため、可視領域の全ての波長の光を遮光する。遮光部５は、遮光フィルタ２からヒトの右眼の側に立設している。このため、ヒトが検眼用器具１を装着した場合に、遮光部５は、右眼の周囲に当接する。
【００１６】
第２のリム部６は、第１のリム部４と左右対称の形状を有している。ただし、第２のリム部６は、第１のリム部４とは異なり、遮光部５を有していない。即ち、第２のリム部６は、透明であるために、可視光をほとんど遮光しない。ただし、変形例では、第２のリム部６は、透明でなくてもよく、例えば、全面が黒色であってもよい。
【００１７】
また、第２のリム部６は溝７を有する。溝７は、第２リム部６の内側の全周囲にわたって形成されている。図２に示すように、検眼用器具１は、略円形状の視力矯正レンズ１２が溝７に嵌まり込むことによって、視力矯正レンズ１２を保持することができる。保持された視力矯正レンズ１２が左眼の視力を矯正するので、適切な視野検査を行うことができる。本実施例では、第２のリム部６の内側の溝７によって視力矯正レンズ１２を保持させない構成、即ち、第２のリム部６の前方に視力矯正レンズ１２を配置する構成と比較して、左眼と視力矯正レンズ１２との間の距離を小さくすることができ、この結果、左眼の矯正視野を広くさせることができる。
【００１８】
また、本実施例では、視力矯正レンズ１２が溝７内に嵌まり込んだ状態を維持しながら、視力矯正レンズ１２を左右方向にスライドさせることができる。これにより、視力矯正レンズ１２の光学中心と、左眼の瞳孔の中心と、を適切に一致させることができる。
【００１９】
なお、本実施例では、視力矯正レンズ１２は略円形であるが、変形例では、視力矯正レンズ１２は、第２のリム部６によって保持可能な形状であり、かつ、視野検査に必要な矯正視野を確保できる形状であればよく、例えば、視力矯正レンズ１２の外周の全部が溝７に嵌まり込むような形状であってもよい。
【００２０】
続いて、図１及び図３を参照して、遮光部５の形状の詳細を説明する。遮光フィルタ２の右眼に対向する面（以下では、「対向面」と呼ぶ）の重心を点Ｇとする。検眼用器具１を水平面に載置して、対向面上で点Ｇを通る水平線を引いた場合に、当該水平線と対向面の外周線との２つの交点のうち、ブリッジに近い交点を点Ｐとする。対向面の外周線上の任意の位置に点Ｑをとり、∠ＰＧＱ＝θ（°）とする。ただし、θは、ヒトが検眼用器具１を装着した状態で、右眼で対向面を見た場合に、線分ＰＧを基準として時計回りに測定した角度である。点Ｑにおける遮光部５の高さをＬ（ｃｍ）とする。図３は、θ及びＬの関係を示す。
【００２１】
図３に示すように、θ＝０の場合のＬ、即ち、点Ｐにおける高さＬは、約０．６（ｃｍ）である。１５０≦θ≦２０５の範囲では、点Ｑが第１のテンプル８ａに最も近い位置にある。この場合の高さＬ（以下では「第１の高さ」と呼ぶ）は、約１．８（ｃｍ）である。また、１０≦θ≦２０の範囲では、点Ｑがブリッジ１０に最も近い位置にある。この場合の高さＬ（以下では「第２の高さ」と呼ぶ）は、約０．４５（ｃｍ）から約０．５５（ｃｍ）である。従って、第１の高さは、第２の高さよりも大きい。本発明者らの研究では、第１の高さが０．３（ｃｍ）以上であり、第２の高さが１．５（ｃｍ）以上であれば、適切な遮光を実現することができることがわかっている。なお、θ＝４５の場合の高さは、最も小さい約０．２（ｃｍ）である。本発明者らの研究では、最も小さい高さが０．２（ｃｍ）以上であれば、適切な遮光を実現することができることがわかっている。
【００２２】
（第１実施例の効果）
第１実施例の検眼用器具１によれば、第１のリム部４によって保持される遮光フィルタ２が設けられているので、右眼に対する遮光を適切に実現することができる。また、第２のリム部６によって囲まれた領域に視野検査を阻害する物体が存在しないので、左眼のための視野検査を適切に実行することができる。また、検眼用器具１は、アイパッチ、ガーゼ、又は、眼帯を使用した場合に比較して、以下のような有利な効果を有する。第１にアイパッチでは、その素材の影響により遮光した眼に対して光が透過しやすいため、検査結果が不正確となる。一方において、検眼用器具１では、アイパッチに比較して光は透過しにくく、より正確な検査結果が得られる。第２にガーゼでは、隙間から光が漏れやすいため、検査結果が不正確となる。一方において、検眼用器具１では、ガーゼに比較して光は漏れにくく、より正確な検査結果が得られる。第３にアイパッチ又はガーゼでは、これらを保持するためにテープを使用する必要があるが、ヒトの汗によってテープの付きが悪くなり、不快感をもたらし得る。一方において、検眼用器具１では、そのような問題はない。第４にアイパッチ、ガーゼ、又は、眼帯では、検査眼が圧迫されて、不快感をもたらし得るが、検眼用器具１では、そのような問題はない。第５にアイパッチ、ガーゼ、又は、眼帯では、遮光する眼を閉眼させるために、検査眼の眼瞼が下がる。一方において、検眼用器具１では、遮光する眼は開眼したままであるため、検査眼の眼瞼が下がるのを防止することができる。第６にアイパッチ、ガーゼ、又は、眼帯では、検査毎にフィッティングに差が出る(即ち、毎回同じように遮光することができない)。一方において、検眼用器具１では、遮光部５は、右眼の周囲に当接するため、フィッティングに再現性がある。第７に眼帯では、眼帯を保持するためのひもで検査眼が圧迫されるが、本実施例の検査用器具では、そのような問題はない。
【００２３】
（第２実施例）
続いて、図４を参照して、第２実施例の検眼用器具１００を説明する。検眼用器具１００は、遮光フィルタ１０２及び眼鏡フレーム１２０を備える。眼鏡フレーム１２０は、第１のリム部１０４、第２のリム部１０６、第１のテンプル１０８ａ、第２のテンプル１０８ｂ、及び、ブリッジ１１０を備える。第１のリム部１０４は、左眼に対応し、第２のリム部１０６は、右眼に対応する。遮光フィルタ１０２は、第１のリム部１０４によって保持される。第２のリム部１０６は、視力矯正用レンズを保持するための溝１０７を有する。検眼用器具１００は、検眼用器具１の左右が反転したものであるので、各部１０２等に関する詳しい説明を省略する。検眼用器具１００では、左眼に対する遮光が実現される。即ち、検眼用器具１００は、右眼の視野検査を行う際に利用される。
【００２４】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００２５】
（変形例１）上記の各実施例では、左眼の視野検査を行う際に利用される検眼用器具１と、右眼の視野検査を行う際に利用される検眼用器具１００と、は別体であるが、以下で説明するように、これらを１個の検眼用器具としてもよい。例えば、検眼用器具１に、左眼に対向する遮光フィルタを設ける。なお、右眼に対向する遮光フィルタ２と、左眼に対向する遮光フィルタと、は取り外し可能とする。さらに、第２リム６の一部であり、かつ、当該遮光フィルタに立設する遮光部を設ける。さらに、第１リム部４によって囲まれた領域に視力矯正レンズ１２を保持するための溝を第１リム部４に設ける。これによると、視野検査を行う眼に対応する遮光フィルタを取り外し、当該眼に対応する溝に視力矯正レンズ１２を嵌め込み、他方の眼に対応する遮光フィルタを装着した状態にすることによって、左右のいずれか一方の眼について、選択的に視野検査を行うことができる。
【００２６】
（変形例２）第１実施例では、検眼用器具１は、一対のテンプル８を備える。これに代えて、検眼用器具１は、検眼用器具１を保持するためのバンドを備えていてもよい。この場合に、バンドの一方の端は、第１リム４に固定されており、他方の端は、第２リム６に固定されている。ヒトが検眼用器具１を装着する際に、頭の周囲にゴムが巻き付くようにするため、検眼用器具１は、頭の表面に対する、バンドの収縮力によって、顔面に対して適切な位置に保持される。なお、第２実施例でも同様の変形例が可能である。
【００２７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００２８】
１：検眼用器具、２：遮光フィルタ、４：第１のリム部、５：遮光部、６：第２のリム部、７：溝、８ａ：第１のテンプル、８ｂ：第２のテンプル、１０：ブリッジ、１２：視力矯正レンズ、２０：眼鏡フレーム、１００：検眼用器具、１０２：遮光フィルタ、１０４：第１リム、１０５：遮光部、１０６：第２リム、１０７：溝、１０８：テンプル、１１０：ブリッジ、１２０：眼鏡フレーム
【図３】
0003186322.tif 000003
【図１】
0003186322.tif 000004
【図２】
0003186322.tif 000005
【図４】
0003186322.tif 000006
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
ヒトが視野検査を受ける際に、前記ヒトによって装着される検眼用器具であって、
前記ヒトの一方の眼に対応する第１のリム部と、前記ヒトの他方の眼に対応する第２のリム部と、を有する眼鏡フレームと、
前記第１のリム部によって保持される遮光フィルタであって、可視領域の全ての波長の光を遮光する前記遮光フィルタと、
を備え、
前記第１のリム部は、前記遮光フィルタから前記ヒトの前記一方の眼の側に立設している遮光部であって、可視領域の全ての波長の光を遮光する前記遮光部を有し、
前記第２のリム部は、視力矯正レンズを、前記第２のリム部によって囲まれた領域に保持可能である、検眼用器具。
【請求項２】
前記眼鏡フレームは、さらに、前記第１のリム部と前記第２のリム部とを接続するためのブリッジと、前記第１のリム部に接続される第１のテンプルと、前記第２のリム部に接続される第２のテンプルと、を有し、
前記遮光部のうち、前記第１のテンプルに最も近い部分の高さである第１の高さは、前記遮光部のうち、前記ブリッジに最も近い部分の高さである第２の高さよりも大きい、請求項１に記載の検眼用器具。
【請求項３】
前記第１の高さが１．５ｃｍ以上であり、前記第２の高さが０．３ｃｍ以上である、請求項２に記載の検眼用器具。